(57)【要約】 【課題】耐ストレス性の向上を図ることができる電子機器を提供する。【解決手段】一つの実施形態によれば、電子機器は、筐体と、収容部と、カバーと、受け部と、を備える。前記収容部は、前記筐体に設けられ、外部に向けた開口の一部を規定するとともに前記筐体の厚み方向に延びた立壁を有し、電子部品が収容される。前記カバーは、外部に露出されて脚部が設けられた第１の面と、この第１の面とは反対側に位置された第２の面と、この第２の面に設けられた凸部とを有して前記収容部を着脱自在に覆う。前記受け部は、前記筐体に設けられ、前記筐体の内側に窪むとともに、前記凸部に対向するとともに前記立壁に支持された底壁を有し、前記凸部を受ける。【選択図】図９
2012168975.tif 000002
【特許請求の範囲】
【請求項１】
筐体と、
前記筐体に設けられ、外部に向けた開口の一部を規定するとともに前記筐体の厚み方向に延びた第１の立壁を有し、電子部品が収容される収容部と、
外部に露出され、脚部が設けられた第１の面と、この第１の面とは反対側に位置された第２の面と、この第２の面に設けられた凸部とを有し、前記収容部を着脱自在に覆うカバーと、
前記筐体に設けられ、前記筐体の内側に窪むとともに、前記凸部に対向するとともに前記第１の立壁に支持された底壁を有し、前記凸部を受ける受け部と、
を備えたテレビジョン受像機。
【請求項２】
請求項１の記載において、
前記凸部は、前記第２の面で前記脚部の少なくとも一部に対応した位置に設けられたテレビジョン受像機。
【請求項３】
請求項１または請求項２の記載において、
前記受け部は、前記底壁の縁部から前記筐体の厚み方向に起立するとともに、前記第１の立壁に向いて延びて前記第１の立壁に接続された第２の立壁を有したテレビジョン受像機。
【請求項４】
請求項３の記載において、
前記第２の立壁は、前記第１の立壁に略直交した方向から接続され、
前記受け部は、前記底壁の他の縁部から前記筐体の厚み方向に起立するとともに、前記第２の立壁とは異なる方向に延びた第３の立壁を有し、この第３の立壁は、前記第１の立壁の一部によって構成されたテレビジョン受像機。
【請求項５】
請求項４の記載において、
前記受け部は、前記第２の立壁が起立した第１の端部と、この第１の端部とは反対側に位置された第２の端部と、この第２の端部から起立し、前記第２の立壁と略平行に延びるとともに、前記第１の立壁に接続された第４の立壁とを有したテレビジョン受像機。
【請求項６】
請求項１または請求項５の記載において、
前記受け部は、前記第１の立壁近傍に設けられ、当該受け部を構成する壁部の一部が前記第１の立壁の一部と共用されたテレビジョン受像機。
【請求項７】
請求項１または請求項６の記載において、
前記底壁は、前記第１の立壁に接続されたテレビジョン受像機。
【請求項８】
請求項１または請求項７の記載において、
前記底壁は、前記凸部に対向した第１の面と、この第１の面とは反対側に位置された第２の面とを有し、この第２の面に前記第１の立壁に接続されたリブが設けられたテレビジョン受像機。
【請求項９】
請求項１または請求項８の記載において、
前記収容部は、前記電子部品に接続されるコネクタが設けられ、
前記第１の立壁は、前記収容部で前記コネクタとは反対側に位置され、前記電子部品よりも前記コネクタから遠くに位置したテレビジョン受像機。
【請求項１０】
請求項１または請求項９の記載において、
前記電子部品を保持した金属製のホルダを備え、
前記筐体は、少なくとも一部が前記筐体の厚み方向に延びた周壁を有し、
前記筐体には、前記カバーが固定される固定部と、前記筐体に設けられたグランドに電気的に接続されるとともに、前記ホルダに接触する端子部とが設けられ、
前記受け部は、前記固定部及び前記端子部よりも、前記周壁の近くに設けられ、前記周壁によって支持されたテレビジョン受像機。
【請求項１１】
筐体と、
前記筐体に設けられ、外部に向けた開口の一部を規定するとともに前記筐体の厚み方向に延びた立壁を有し、電子部品が収容される収容部と、
外部に露出され、脚部が設けられた第１の面と、この第１の面とは反対側に位置された第２の面と、この第２の面に設けられた凸部とを有し、前記収容部を着脱自在に覆うカバーと、
前記筐体に設けられ、前記筐体の内側に窪むとともに、前記凸部に対向するとともに前記立壁に支持された底壁を有し、前記凸部を受ける受け部と、
を備えた電子機器。
【発明の詳細な説明】
【技術分野】
【０００１】
本発明の実施形態は、テレビジョン受像機及び電子機器に関する。
【背景技術】
【０００２】
ＨＤＤ(Hard Disk Drive)収容部が設けられた電子機器が提供されている。
【先行技術文献】
【特許文献】
【０００３】
【特許文献１】特開２０１０−２２５１８３号公報
【発明の概要】
【発明が解決しようとする課題】
【０００４】
テレビジョン受像機及び電子機器は、耐ストレス性の向上が要望されている。
【０００５】
本発明の目的は、耐ストレス性の向上を図ることができるテレビジョン受像機及び電子機器を提供することである。
【課題を解決するための手段】
【０００６】
一つの実施形態によれば、電子機器は、筐体と、収容部と、カバーと、受け部と、を備える。前記収容部は、前記筐体に設けられ、外部に向けた開口の一部を規定するとともに前記筐体の厚み方向に延びた立壁を有し、電子部品が収容される。前記カバーは、外部に露出されて脚部が設けられた第１の面と、この第１の面とは反対側に位置された第２の面と、この第２の面に設けられた凸部とを有して前記収容部を着脱自在に覆う。前記受け部は、前記筐体に設けられ、前記筐体の内側に窪むとともに、前記凸部に対向するとともに前記立壁に支持された底壁を有し、前記凸部を受ける。
【図面の簡単な説明】
【０００７】
【図１】第１実施形態に係る電子機器の平面図。
【図２】図１中に示された電子機器の本体部の下壁を示す斜視図。
【図３】図２中に示された電子機器のＨＤＤ収容部を示す平面図。
【図４】図３中に示されたＨＤＤ収容部のカバーを取り外した状態を示す平面図。
【図５】図４中に示されたＨＤＤユニットの斜視図。
【図６】図４中に示されたＨＤＤ収容部のＨＤＤユニットを取り外した状態を示す平面図。
【図７】図６中に示されたＨＤＤ収容部の一部を示す斜視図。
【図８】図６中に示されたＨＤＤ収容部のＦ８−Ｆ８線に沿う断面図。
【図９】図３中に示されたＨＤＤ収容部のＦ９−Ｆ９線に沿う断面図。
【図１０】図３中に示されたカバーの内面を示す斜視図。
【図１１】図３中に示されたＨＤＤ収容部のＦ１１−Ｆ１１線に沿う断面図。
【図１２】図３中に示されたカバーの第２の面を示す平面図。
【図１３】図７中に示された受け部の裏面を示す斜視図。
【図１４】図１中に示された電子機器の第１変形例を示す断面図。
【図１５】図１中に示された電子機器の第２変形例を示す断面図。
【図１６】図１中に示された電子機器の第３変形例を示す断面図。
【図１７】図１中に示された電子機器の第４変形例を示す断面図。
【図１８】第２実施形態に係るテレビジョン受像機の斜視図。
【発明を実施するための形態】
【０００８】
以下、実施の形態について、図面を参照して説明する。
【０００９】
（第１実施形態）  
図１乃至図１７は、第１実施形態に電子機器１を開示している。電子機器１は、例えばノートブック型ポータブルコンピュータ（ノートＰＣ）である。なお本実施形態が適用可能な電子機器は、上記例に限られず、テレビジョン受像機や、スレート型ポータブルコンピュータ（スレートＰＣ）、携帯電話、スマートフォン、ＰＤＡ(Personal Digital Assistant)、ゲーム機などを含む種々の電子機器に広く適用可能である。
【００１０】
図１及び図２に示すように、電子機器１は、本体部２（第１のユニット）と、表示部３（第２のユニット）と、ヒンジ部４ａ，４ｂとを有する。本体部２は、メインボードを搭載した電子機器本体である。本体部２は、第１の筐体５を備えている。第１の筐体５は、上壁６、下壁７、及び周壁８を有し、扁平な箱状に形成されている。
【００１１】
下壁７は、電子機器１を机の上に置いた時に、その机上面に向かい合う。下壁７には、机上面に接触し、電子機器１を支持する複数の脚部９が設けられている。上壁６は、下壁７との間に空間を空けて、下壁７と略平行に広がる。上壁６には、キーボード１０が取り付けられている。キーボード１０は、「入力部」の一例である。なお「入力部」は、タッチパネル式の入力装置や、その他の入力装置でもよい。
【００１２】
周壁８は、下壁７に対して起立し、下壁７の周縁部と上壁６の周縁部との間を繋いでいる。なお周壁８は、下壁７との間に明確な境界を有さず、例えば下壁７に曲面状に連続してもよい。周壁８の少なくとも一部は、第１の筐体５の厚み方向に延びている。なお本実施形態では、上壁６から下壁７に向かう方向が「筐体５の厚み方向」である。
【００１３】
第１の筐体５は、後端部１１（第１の端部）と、前端部１２（第２の端部）とを有する。後端部１１には、ヒンジ部４ａ，４ｂを介して表示部３が連結されている。前端部１２は、後端部１１とは反対側に位置されている。
【００１４】
周壁８は、前壁８ａ、後壁８ｂ、左側壁８ｃ、及び右側壁８ｄを含む。前壁８ａは、第１の筐体５の前端部１２に位置され、第１の筐体５の横幅方向（左右方向）に延びている。後壁８ｂは、後端部１１に位置され、前壁８ａと略平行に第１の筐体５の横幅方向に延びている。左右の側壁８ｃ，８ｄは、それぞれ第１の筐体５の縦幅方向（前後方向）に延びている。左右の側壁８ｃ，８ｄは、それぞれ前壁８ａの端部と後壁８ｂの端部との間を繋いでいる。
【００１５】
図２に示すように、第１の筐体５は、ベース１３（第１の筐体部材）と、カバー１４（第２の筐体部材）とを有する。ベース１３は、下壁７と、周壁８の一部とを有する。カバー１４は、上壁６と、周壁８の一部とを有する。カバー１４がベース１３に組み合わされることで、第１の筐体５が設けられている。
【００１６】
図１に示すように、表示部３は、第２の筐体１５と、この第２の筐体１５に収容された表示装置１６とを備えている。表示装置１６は、例えば液晶ディスプレイであるが、これに限定されるものではない。表示装置１６は、画像や映像が表示される表示画面１６ａを有する。
【００１７】
第２の筐体１５は、ヒンジ部４ａ，４ｂによって、第１の筐体５の後端部１１に回動可能（開閉可能）に連結されている。これにより表示部３は、本体部２に重ねられた第１の位置と、本体部２に対して開かれた第２の位置との間で回動可能である。
【００１８】
図１及び図２に示すように、第２の筐体１５は、前壁１７、背壁１８、及び周壁１９を有する。前壁１７は、表示部３が上記第１位置にあるとき、本体部２に向かい合う。前壁１７は、表示装置１６の表示画面１６ａが露出される開口部１７ａを有する。換言すれば、第２の筐体１５は、表示画面１６ａが第１の筐体５に覆われる第１位置と、表示画面１６ａが露出される第２位置との間で回動可能である。
【００１９】
背壁１８は、前壁１７との間に空間を空けて、前壁１７と略平行に広がる。背壁１８は、前壁１７とは反対側から表示装置１６に対向する。周壁１９は、背壁１８に対して起立し、前壁１７の周縁部と背壁１８の周縁部との間を繋いでいる。
【００２０】
次に、ハードディスクドライブ収容部２１について説明する。なお以下の説明では、ハードディスクドライブ収容部２１を「ＨＤＤ収容部２１」と、第１の筐体５を単に「筐体５」とそれぞれ称する。
【００２１】
図２乃至図９に示すように、ＨＤＤ収容部２１は、筐体５の下壁７に設けられている。ＨＤＤ収容部２１は、下壁７から筐体５の内側に窪んだ窪み部である。ＨＤＤ収容部２１には、ハードディスクドライブユニット２２（以下、ＨＤＤユニット２２）が収容されている。ＨＤＤ収容部２１は、「収容部」の一例である。ＨＤＤユニット２２は、「ユニット」の一例である。
【００２２】
図４及び図５に示すように、ＨＤＤユニット２２は、ハードディスクドライブ２３（以下、ＨＤＤ２３）と、ＨＤＤ２３を保持したホルダ２４とを備えている。ＨＤＤ２３は、「モジュール」の一例であり、「収容部品」の一例であり、「記憶媒体」の一例である。ホルダ２４は、「取付板金」の一例であり、例えば金属製である。
【００２３】
ＨＤＤ２３は、長方形状の扁平状に形成され、比較的大きな第１および第２の主面２３ａ，２３ｂと、周面２３ｃとを有する。第１および第２の主面２３ａ，２３ｂは、ＨＤＤ２３の内部の磁気ディスクと略平行に広がる面である。周面２３ｃは、第１及び第２の主面２３ａ，２３ｂに対して起立し、第１の主面２３ａの周縁部と第２の主面２３ｂの周縁部との間を繋いでいる。周面２３ｃは、前面２３ｃａ、後面２３ｃｂ、第１の側面２３ｃｃ（左側面）、および第２の側面２３ｃｄ（右側面）を含む。
【００２４】
ここで図４及び図６に示すように、ＨＤＤ収容部２１の端部には、コネクタ２５が設けられている。ＨＤＤユニット２２のＨＤＤ収容部２１への取り付けは、ＨＤＤユニット２２をまず略鉛直方向からＨＤＤ収容部２１に挿入し、その後、ＨＤＤユニット２２を図４中の矢印Ａの方向にスライド移動させることで行われる。これにより、ＨＤＤユニット２２が、ＨＤＤ収容部２１のコネクタ２５に接続される。
【００２５】
そこで本明細書では、ＨＤＤユニット２２のスライド方向を基準として、前後左右を定義している。すなわち、ＨＤＤユニット２２から見て、コネクタ２５が位置する方を前、コネクタ２５とは反対側を後ろとする。
【００２６】
図５に示すように、ＨＤＤユニット２２は、その長手方向の端部である第１および第２の端部２６，２７を有する。第１の端部２６には、ＨＤＤ２３のコネクタ２８が設けられている。ＨＤＤ２３のコネクタ２８は、ＨＤＤ収容部２１のコネクタ２５に直接に接続（すなわち嵌合）され、コネクタ２５に電気的に接続される。第２の端部２７には、ホルダ２４の延伸部２９が設けられている。
【００２７】
図６乃至図９に示すように、ＨＤＤ収容部２１は、例えばＨＤＤ２３よりも一回り大きな略矩形状に形成されている。ＨＤＤ収容部２１は、外部に向けて開口された開口部３１を有し、この開口部３１を通じてＨＤＤ収容部２１の内部が外部に露出されている。
【００２８】
ＨＤＤ収容部２１は、底壁３２と、この底壁３２の周囲から立ち上がる立壁としての第１乃至第４の壁部３３，３４，３５，３６とを有する。底壁３２は、「第１の底壁」の一例である。底壁３２は、例えばＨＤＤ２３と略平行に広がり、ＨＤＤ２３の第１の主面２３ａに対向している。底壁３２は、ＨＤＤ２３の第１の主面２３ａよりも一回り大きな面積を有する。
【００２９】
第１乃至第４の壁部３３，３４，３５，３６は、それぞれ底壁３２の異なる縁部から起立し、底壁３２から下壁７に向いて、筐体５の厚み方向に延びている。第１乃至第４の壁部３３，３４，３５，３６は、それぞれＨＤＤ２３の厚さよりも大きく延び、ＨＤＤ２３が収容可能な空間を規定している。第１乃至第４の壁部３３，３４，３５，３６は、互いに協働してＨＤＤ２３を４方向から取り囲み、上記開口部３１（ＨＤＤ収容開口）を規定している。
【００３０】
図６乃至図９に示すように、第１の壁部３３は、底壁３２の後縁部から起立し、ＨＤＤ２３の後面２３ｃｂに対向している。第１の壁部３３は、「第１の立壁」の一例であり、収容部の一部を構成した「壁部」の一例である。第２の壁部３４は、底壁３２の前縁部から起立し、ＨＤＤ２３の前面２３ｃａに対向している。第１及び第２の壁部３３，３４は、互いに略平行に、筐体５の短手方向に延びている。
【００３１】
ＨＤＤ収容部２１は、第１の壁部３４が設けられた第１の端部３８と、この第１の端部３８とは反対側に位置され、第２の壁部３５が設けられた第２の端部３９とを有する。第２の端部３９には、上述のコネクタ２５が設けられている。第１の壁部３３は、ＨＤＤ収容部２１でコネクタ２５とは反対側に位置され、ＨＤＤ２３よりも、コネクタ２５から遠くに位置されている。第１の壁部３３は、４つの壁部３３，３４，３５，３６のなかで、コネクタ２５から最も遠い壁部である。
【００３２】
第３の壁部３５は、底壁３２の左縁部から起立し、ＨＤＤ２３の第１の側面２３ｃｃに対向している。第４の壁部３６は、底壁３２の右縁部から起立し、ＨＤＤ２３の第２の側面２３ｃｄに対向している。第３及び第４の壁部２３ｃｃ，２３ｃｄは、互いに略平行に、筐体５の長手方向に延びている。
【００３３】
図９に示すように、筐体５には、ＨＤＤカバー４１が取り付けられる。ＨＤＤカバー４１は、ＨＤＤ収容部２１を着脱自在に覆う。筐体５は、「第１の部材」の一例である。ＨＤＤカバー４１は、「カバー」の一例であり、「第２の部材」の一例である。ＨＤＤカバー４１は、筐体５の外部に露出された第１の面４２と、この反対側に位置され、ＨＤＤ収容部２１に対向した第２の面４３とを有する。
【００３４】
図２及び図３に示すように、ＨＤＤカバー４１の第１の面４２は、筐体５の下壁７と略同じ平面上に位置され、下壁７に連続する。ＨＤＤカバー４１の第１の面４２には、下壁７と同じ脚部９が設けられている。脚部９は、電子機器１を机の上に置いたとき、その机上面に接して電子機器１を支持する。脚部９は、「支持部」の一例であり、「第１の面に設けられた凸部」の一例である。
【００３５】
図９乃至図１１に示すように、ＨＤＤカバー４１の第２の面４３には、リブ４４が設けられている。リブ４４は、「凸部（第２の面に設けられた凸部）」の一例であり、第２の面４３から筐体５の厚み方向に突出している。なお「凸部」はリブに限られず、例えばボスやその他の形状でもよい。
【００３６】
リブ４４は、第２の面４３で脚部９の少なくとも一部に対応した位置に設けられている。すなわち、リブ４４は、脚部９の少なくとも一部の反対側（裏側）に設けられている。なお「対応した位置」とは、ＨＤＤカバー４１の厚み方向において、互いに重なる（すなわち対向する）位置関係のことを指す。電子機器１を机上面に置いたとき、脚部９の少なくとも一部は、リブ４４の直下に位置される。
【００３７】
図１２に示すように、リブ４４は、第１の部分４４ａと、第２の部分４４ｂとを有する。第１の部分４４ａは、ＨＤＤカバー４１の長手方向に延びている。第２の部分４４ｂは、ＨＤＤカバー４１の短手方向に延びている。すなわち、第２の部分４４ｂは、第１の部分４４ａとは交差する方向（例えば略直交する方向）延びている。第１及び第２の部分４４ａ，４４ｂは、互いに交差するとともに、互いに連結され、これによりリブ４４が格子状に構成されている。これにより、強度面で優れるとともに、軽量化が図られたリブ４４が提供されている。
【００３８】
図６乃至図１１に示すように、筐体５には、ＨＤＤカバー４１が載置される載置部４６が設けられている。載置部４６は、ＨＤＤ収容部２１の周囲に設けられ、ＨＤＤカバー４１の厚さに対応して下壁７から窪んでいる。載置部４６の上にＨＤＤカバー４１が載置されることで、ＨＤＤカバー４１の第１の面４２が下壁７の表面と略同じ平面上に位置される。また、筐体５には、ＨＤＤユニット２２のホルダ２４の延伸部２９に対向する取付部４７が設けられている。取付部４７は、載置部４６に比べて幅が広くなっている。取付部４７は、第１の壁部３３に隣接している。取付部４７は、例えばＨＤＤ収容部２１の一部である。
【００３９】
図６乃至図１１に示すように、筐体５には、例えば外部からストレスが作用した時に、ＨＤＤカバー４１のリブ４４を受ける受け部５１が設けられている。受け部５１は、例えば取付部４７に設けられた凹部であり、筐体５の内側に窪んでいる。受け部５１は、ＨＤＤカバー４１のリブ４４に対応した位置、すなわちリブ４４の突出方向でリブ４４が対向する位置に設けられている。なお以下では、説明の便宜上、ＨＤＤ収容部２１の第１の壁部３３を「第１の立壁３３」と称する。
【００４０】
受け部５１は、底壁５２と、この底壁５２の周囲から立ち上がる立壁としての第１乃至第４の壁部５３，５４，５５，５６とを有する。底壁５２は、「第２の底壁」の一例である。底壁５２は、リブ４４の突出方向で、リブ４４に対向している。底壁５２は、リブ４４の突出方向とは交差した方向（例えば略直交した方向）に広がる平面を有する。底壁５２は、ＨＤＤ収容部２１の底壁３２と略平行に延びている。
【００４１】
第１乃至第４の壁部５３，５４，５５，５６は、それぞれ底壁５２の異なる縁部から起立し、底壁５２から下壁７に向いて筐体５の厚み方向に延びている。第１乃至第４の壁部５３，５４，５５，５６は、受け部５１を外部に向けて開口させる開口部５７を規定している。第１乃至第４の壁部５３，５４，５５，５６は、底壁５２と取付部４７との間を繋いでいる。第１乃至第４の壁部５３，５４，５５，５６は、隣り合う壁部同士が互いに繋がっている。
【００４２】
図６及び図１１に示すように、底壁５２は、第１の端部５２ａと、この第１の端部５２ａとは反対側に位置された第２の端部５２ｂとを有する。第１の壁部５３は、第１の端部５２ａから起立している。第２の壁部５４は、第２の端部５２ｂから起立している。第１の壁部５３は、「第２の立壁」の一例である。第２の壁部５４は、「第４の立壁」の一例である。
【００４３】
図６及び図７に示すように、具体的には、第１の壁部５３は、底壁５２の左縁部から起立している。第２の壁部５４は、底壁５２の右縁部から起立している。第１及び第２の壁部５３，５４は、互いに略平行に、筐体５の長手方向に延びている。第１及び第２の壁部５３，５４は、第１の立壁３３に向いて延び、第１の立壁３３に略直交した方向から、第１の立壁３３に接続されている。これにより、受け部５１の底壁５２は、まず第１及び第２の壁部５３，５４を介して第１の立壁３３に支持されている。
【００４４】
図６乃至図８に示すように、第３の壁部５５は、底壁５２の前縁部から起立している。第４の壁部５６は、底壁５２の後縁部から起立している。第３及び第４の壁部５５，５６は、第１の壁部５３とは異なる方向、例えば筐体５の短手方向に延びている。第３の壁部５５は、「第３の立壁」の一例である。
【００４５】
図８に示すように、本実施形態の受け部５１は、ＨＤＤ収容部２１に隣接して設けられ、第１の立壁３３の近傍に位置される。そして、受け部５１を構成する壁部の一部が、ＨＤＤ収容部２１の第１の立壁３３の一部と共用されている。
【００４６】
具体的には、受け部５１の第３の壁部５５は、ＨＤＤ収容部２１の第１の立壁３３の一部によって構成されている。すなわち、ＨＤＤ収容部２１と受け部５１との間に起立したひとつの壁部が、ＨＤＤ収容部２１の第１の立壁３３と、受け部５１の第３の壁部５５とを構成している。
【００４７】
図８に示すように、受け部５１の底壁５２は、ＨＤＤ収容部２１の底壁３２と略平行に延び、そのまま第１の立壁３３に接続されている。すなわち、受け部５１の底壁５２は、第１の立壁３３に直接に支持されている。底壁５２は、ＨＤＤカバー４１のリブ４４に対向した第１の面５８と、この第１の面５８の反対側に位置された第２の面５９とを有する。第２の面５９は、筐体５の内部に露出された筐体内面である。
【００４８】
図８及び図１３に示すように、底壁５２の第２の面５９には、例えば３本のリブ６０（第２のリブ）が設けられている。リブ６０は、第２の面５９から筐体５の厚み方向に突出している。３本のリブ６０は、例えば底壁５２の両端部と、中央部とに分かれて設けられている。リブ６０は、第１及び第２の壁部５３，５４と略平行に延びている。リブ６０は、第１の立壁３３に近付くに従い高さが高くなり、そのまま第１の立壁３３に接続されている。リブ６０は、第１の立壁３３に交差する方向（例えば略直交する方向）から、第１の立壁３３に接続されている。
【００４９】
図９及び図１１に示すように、リブ４４は、受け部５１に向いて突出している。リブ４４は、例えば外部からストレスが加わった時、第１の立壁３３に隣接した位置で、受け部５１（すなわち筐体５）に当接する。なお、リブ４４は、受け部５１に常に当接していてもよいし、通常時は受け部５１との間に隙間を空けるとともに、外部からストレスが加わった時だけ受け部５１に当接してもよい。
【００５０】
図６及び図７に示すように、取付部４７には、固定部６２と、一対の端子部６３とが設けられている。固定部６２は、ＨＤＤカバー４１がねじ止め固定されるねじ穴６４と、ＨＤＤユニット２２のホルダ２４が係合する係合部６５とを有する。係合部６５は、例えばフックである。端子部６３は、筐体５に設けられたグランドに電気的に接続されるとともに、ＨＤＤユニット２２のホルダ２４に接触する。これにより、ＨＤＤユニット２２のホルダ２４が筐体５のグランドにアースされる。
【００５１】
図６及び図７に示すように、受け部５１は、固定部６２及び端子部６３よりも、周壁８の近くに設けられている。具体的には、受け部５１は、固定部６２及び端子部６３よりも、前壁８ａの近くに設けられ、前壁８ａによって支持されている。
【００５２】
図９に示すように、ＨＤＤユニット２２のホルダ２４の延伸部２９は、受け部５１に係合する係合部６６を有する。係合部６６は、受け部５１に入るフック状に形成され、第３の壁部５５に対向している。筐体５に横方向のストレスが加わった時、係合部６６が第３の壁部５５に当接することで、ＨＤＤユニット２２がコネクタ２５に向いて移動することが抑制される。これにより、ＨＤＤユニット２２及びコネクタ２５の信頼性が向上する。
【００５３】
次に、電子機器１の作用について述べる。  
ＨＤＤカバー４１の脚部９にストレス（例えば衝撃）が加わると、そのストレスは脚部９からリブ４４に伝わる。そして、リブ４４が受け部５１に当接することで、上記ストレスは、リブ４４から受け部５１に伝わる。受け部５１に伝わったストレスは、受け部５１から第１の立壁３３に伝わり、第１の立壁３３によって吸収される。これにより、上記ストレスは、ＨＤＤ２３には伝わりにくい。
【００５４】
このような構成によれば、耐ストレス性の向上を図ることができる。  
ＨＤＤカバーに脚部を設けた場合、ＨＤＤカバーの脚部の近傍にストレスが集中しやすい。一方で、ＨＤＤは、ストレスにあまり強くない。そこで、本発明者らは、ＨＤＤカバーからストレスを受ける受け部を筐体に設けることを考えた。本発明者らは、上記受け部を、ストレスを伝えたくないＨＤＤ収容部からなるべく離すことを考えた。しかしながら、受け部をＨＤＤ収容部から離すと、ストレスが筐体内で種々の経路に分かれ、その一部がＨＤＤに伝わることが見出された。
【００５５】
一方で、本実施形態の電子機器は、外部に向けて開口されてモジュール２３が収容された収容部２１が設けられた筐体５と、筐体５に設けられ、収容部２１の一部を構成するとともに筐体５の厚み方向に延びた壁部３３と、外部に露出された第１の面４２とこの第１の面４２とは反対側に位置された第２の面４３とを有し、収容部２１を覆うカバー４１と、カバー４１の第２の面４３に設けられ、壁部３３に隣接した位置で筐体５に当接する凸部４４とを備える。
【００５６】
つまりこの構造では、カバー４１の凸部４４が、収容部２１の壁部３３に隣接した位置で筐体５に当接する。ここで、収容部２１の壁部３３は、ストレスの入力方向である筐体５の厚み方向に延びており、ストレスが加わっても大きな弾性変形はせず、ストレスを吸収することができる。このため、カバー４１に加わったストレスは、カバー４１の凸部４４から収容部２１の壁部３３に集中して逃がされ、この壁部３３によって吸収される。このため、筐体５内でストレスが分散しにくく、ＨＤＤ２３へ伝わるストレスが低減される。換言すれば、上記構造では、カバー４１の凸部４４から収容部２１の壁部３３にストレスを逃がすストレス伝達経路が積極的に設けられており、これによってＨＤＤ２３にストレスが伝わりにくくなっている。
【００５７】
本実施形態では、カバー４１の第１の面４２に脚部９が設けられ、第２の面４３にリブ４４が設けられている。リブ４４は、第２の面４３で脚部９の少なくとも一部に対応した位置に設けられている。このため、カバー４１の脚部９に加えられたストレスが、リブ４４に伝わりやすい。このため、ストレスをより効率良く伝えることができる。
【００５８】
本実施形態では、受け部５１は、筐体５の内側に窪んでいる。これによれば、カバー４１から突出したリブ４４を有する構造において、筐体５の薄型化を図ることができる。
【００５９】
本実施形態では、受け部５１は、リブ４４に対向した底壁５２と、この底壁５２の縁部から筐体５の厚み方向に起立し、第１の立壁３３に接続された第１の壁部５３とを有する。以下、説明の便宜上、第１の壁部５３を「第２の立壁５３」と称する。ストレスの入力方向である筐体５の厚み方向に起立した第２の立壁５３は、大きな弾性変形をすることなく、ストレスを確実に受けることができる。そして、この第２の立壁５３から第１の立壁３３にストレスが伝わるので、ストレスをより効率良く第１の立壁３３に伝えることができる。
【００６０】
本実施形態では、受け部５１は、第１の立壁３３の近傍に設けられ、受け部５１を構成する壁部５５の一部が第１の立壁３３の一部と共用されている。すなわち、受け部５１の一部が第１の立壁３３によって構成されているので、受け部５１に伝えられたストレスを、より効率良く第１の立壁３３に伝えることができる。また受け部５１が第１の立壁３３の近傍に設けられていると、受け部５１と第１の立壁３３との間に隙間を設ける場合に比べて、電子機器１の小型化を図ることができる。
【００６１】
本実施形態では、受け部５１は、第２の立壁５３とは異なる方向に延びた第３の壁部５５を有する。以下、説明の便宜上、第３の壁部５５を「第３の立壁５５」と称する。この第３の立壁５５は、第１の立壁３３の一部によって構成されている。すなわち、受け部５１の一部が第１の立壁３３によって構成されているので、受け部５１に伝えられたストレスを、より確実に第１の立壁３３に伝えることができる。
【００６２】
本実施形態では、第２の立壁５３は、第１の立壁３３に略直交した方向から接続されている。第１及び第２の立壁３３，５３が略直交していると、第１及び第２の立壁３３，５３によって断面がＴ字形の支持部が構成されるので、より効率良くストレスを受けたり伝えたりすることができる。
【００６３】
本実施形態では、受け部５１は、第２の立壁５３が起立した第１の端部５２ａと、この第１の端部５２ａとは反対側に位置された第２の端部５２ｂとを有する。そして受け部５１は、第２の端部５２ｂから起立し、第２の立壁５３と略平行に延びるとともに、第１の立壁３３に接続された第２の壁部５４を有する。以下、説明の便宜上、第２の壁部５４を「第４の立壁５４」と称する。これによれば、第２及び第４の立壁５３，５４が第１の立壁３３に略直交する方向から接続されており、第１、第２及び第４の立壁３３，５３，５４によって断面がＴ字形の支持部が２つ構成されるので、さらに効率良くストレスを受けたり伝えたりすることができる。
【００６４】
本実施形態では、受け部５１の底壁５２は、第１の立壁３３に直接に接続されている。このため、受け部５１の底壁５２に伝えられたストレスは、第１の立壁３３に直接伝えられる。このため、より効率良くストレスを第１の立壁３３に伝えることができる。
【００６５】
本実施形態では、受け部５１の底壁５２は、カバー４１のリブ４４に対向した第１の面５８と、この第１の面５８とは反対側に位置された第２の面５９とを有し、第２の面５９に第１の立壁３３に接続されたリブ６０が設けられている。第２の面５９に設けられたリブ６０が第１の立壁３３に直接に接続されていると、受け部５１と第１の立壁３３との間のストレス伝達経路が大きくなり、受け部５１の底壁５２に伝えられたストレスを、より効率良く第１の立壁３３に伝えることができる。
【００６６】
本実施形態では、収容部２１は、ＨＤＤ２３に接続されたコネクタ２５が設けられ、第１の立壁３３は、収容部２１でコネクタ２５とは反対側に位置されている。コネクタ２５は、ストレスに強くない部品のひとつである。本実施形態では、ストレスに強くないコネクタから最も離れた立壁３３にストレスが逃がされる。このため、コネクタ２５にストレスが伝わりにくく、信頼性が向上する。
【００６７】
本実施形態では、受け部５１は、固定部６２及び端子部６３よりも、周壁８の近くに設けられ、筐体５の厚み方向に延びた周壁８によって支持されている。これにより、受け部５１に伝わったストレスの一部は、周壁８によっても吸収され、ＨＤＤ２３により伝わりにくくなる。
【００６８】
次に、図１４乃至図１７を参照し、いくつかの変形例を説明する。  
図１４は、第１変形例を示す。図１４に示すように、本変形例の受け部５１は、載置部４６から窪んでおらず、平面状に設けられている。すなわち受け部５１は、第１の立壁３３に接続された第２及び第４の立壁５３，５４は有しない。ＨＤＤカバー４１のリブ４４は、第１の立壁３３に隣接した位置（または第１の立壁３３の近傍）で筐体５に当接する。
【００６９】
図１４に示すように、この第１変形例では、第１の立壁３３は、第１の面７１と、第２の面７２とを有する。第１の面７１は、ＨＤＤ収容部２１に露出されている。第２の面７２は、第１の面７１とは反対側に位置され、筐体５の内部に露出されている。
【００７０】
ＨＤＤカバー４１のリブ４４の縁部７３（端部）は、第１の立壁３３の第２の面７２の延長線上に位置される。なお、リブ４４の縁部７３が第１の立壁３３の第２の面７２の延長線上に位置される構造は、「凸部が第１の立壁に接する」構造の一例である。本変形例では、リブ４４の縁部７３が第１の立壁３３に接する。
【００７１】
このような構成によれば、耐ストレス性の向上を図ることができる。リブ４４の少なくとも一部が第１の立壁３３に接すると、ストレスがリブ４４から第１の立壁３３により効率良く伝わるため、電子機器１の耐ストレス性がさらに向上する。
【００７２】
図１５は、第２変形例を示す。図１５に示すように、ＨＤＤカバー４１のリブ４４は、第１の立壁３３に対向する位置に設けられている。リブ４４は、第１の立壁３３に対向した第１の部分７４と、第１の立壁３３を外れた第２の部分７５とを有する。第１の部分７４は、第１の立壁３３に直接に当接する。第２の部分７５は、第１の立壁３３に隣接した位置（または第１の立壁３３の近傍）で筐体５に当接する。なお、この図１５の構造も、「凸部が第１の立壁に接する」構造の一例であり、リブ４４が第１の立壁３３に接する。
【００７３】
このような構成によれば、耐ストレス性の向上を図ることができる。上記第１変形例と同様に、リブ４４が第１の立壁３３に接すると、ストレスがリブ４４から第１の立壁３３により効率良く伝わるため、電子機器１の耐ストレス性がさらに向上する。
【００７４】
図１６は、第３変形例を示す。図１６に示すように、受け部５１の第３の壁部５５は、第１の立壁３３から離れ、第１の立壁３３から独立して設けられている。受け部５１の底壁５２は、第１の立壁３３に接続されていない。一方で、第２及び第４の立壁５３，５４は、第３の立壁５５を超えて第１の立壁３３まで延長されており、第１の立壁３３に接続されている。
【００７５】
このような構成によれば、耐ストレス性の向上を図ることができる。すなわち、第２及び第４の立壁５３，５４によって、受け部５１に伝えられたストレスを、第１の立壁３３に効率良く伝えることができる。これにより、ＨＤＤ２３に加わるストレスの低減を図ることができる。
【００７６】
図１７は、第４変形例を示す。図１７に示すように、第４変形例のカバー４１は、脚部９を有さず、カバー４１の第１の面４２が直接に机上面Ｓに接する。このような構成でも、その他の構成を例えば上記第１実施形態と同じにすることで、カバー４１に加わるストレスを第１の立壁３３に効率良く伝えることができ、電子機器１の耐ストレス性を向上させることができる。
【００７７】
（第２実施形態）  
次に、第２実施形態に係るテレビジョン受像機８１について、図１８を参照して説明する。なお上記第１実施形態の構成と同一または類似の機能を有する構成は、同一の符号を付してその説明を省略する。また、下記に説明する以外の構成は、上記第１実施形態と同じである。
【００７８】
図１８に示すように、テレビジョン受像機８１は、例えばテレビ接続機器であり、液晶テレビのような表示装置に接続されて使用される。テレビジョン受像機８１は、箱型の筐体５を有する。筐体５には、ストレス伝達構造８２が設けられている。ストレス伝達構造８２は、上記第１実施形態のＨＤＤ周りの構造と同じである。すなわちストレス伝達構造８２は、上記第１実施形態と同じ収容部２１、モジュール（ＨＤＤ２３）、カバー４１を有し、カバー４１に加えられるストレスを、収容部２１の一部を構成する壁部３３に逃がすことができる。これにより、本実施形態のテレビジョン受像機８１は、上記第１の実施形態と同様に、対ストレス性を向上させることができる。
【００７９】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【００８０】
例えば、「モジュール」は、ＨＤＤ２３に限定されるものではなく、電子機器１またはテレビジョン受像機に搭載される種々の部品が適宜該当する。第１乃至第４の立壁３３，５３，５４，５５は、それぞれ少なくとも一部だけが筐体５の厚み方向に延びていてもよい。「第１の部材」と「第２の部材」は、着脱自在の間係ではなく、固定されてもよい。  
以下、いくつかのテレビジョン受像機及び電子機器を付記する。  
[１]、(i)筐体と、(ii)前記筐体に設けられ、外部に向けた開口の一部を規定するとともに前記筐体の厚み方向に延びた第１の立壁を有し、ハードディスクドライブが収容された収容部と、(iii)外部に露出され、脚部が設けられた第１の面と、この第１の面とは反対側に位置された第２の面と、この第２の面で前記脚部の少なくとも一部に対応した位置に設けられた凸部とを有し、前記収容部を着脱自在に覆うカバーと、(iv)前記筐体に設けられ、前記筐体の内側に窪むとともに、前記凸部に対向した底壁と、この底壁の縁部から前記筐体の厚み方向に起立するとともに、前記第１の立壁に向いて延び、前記第１の立壁に接続された第２の立壁とを有し、前記凸部を受ける受け部と、を備えたテレビジョン受像機。  
[２]、[１]の記載において、前記受け部は、前記第１の立壁近傍に設けられ、当該受け部を構成する壁部の一部が前記第１の立壁の一部と共用されたテレビジョン受像機。  
[３]、[１]または[２]の記載において、前記第２の立壁は、前記第１の立壁に略直交した方向から接続され、前記受け部は、前記底壁の他の縁部から前記筐体の厚み方向に起立するとともに、前記第２の立壁とは異なる方向に延びた第３の立壁を有し、この第３の立壁は、前記第１の立壁の一部によって構成されたテレビジョン受像機。  
[４]、[３]の記載において、前記受け部は、前記第２の立壁が起立した第１の端部と、この第１の端部とは反対側に位置された第２の端部と、この第２の端部から起立し、前記第２の立壁と略平行に延びるとともに、前記第１の立壁に接続された第４の立壁とを有したテレビジョン受像機。  
[５]、[１]または[４]の記載において、前記底壁は、前記第１の立壁に接続されたテレビジョン受像機。  
[６]、[１]または[５]の記載において、前記底壁は、前記凸部に対向した第１の面と、この第１の面とは反対側に位置された第２の面とを有し、この第２の面に前記第１の立壁に接続されたリブが設けられたテレビジョン受像機。  
[７]、[１]または[６]の記載において、前記収容部は、前記ハードディスクドライブに接続されたコネクタが設けられ、前記第１の立壁は、前記収容部で前記コネクタとは反対側に位置され、前記ハードディスクドライブよりも前記コネクタから遠くに位置されたテレビジョン受像機。  
[８]、[１]または[７]の記載において、前記ハードディスクドライブを保持した金属製のホルダを備え、前記筐体は、少なくとも一部が前記筐体の厚み方向に延びた周壁を有し、前記筐体には、前記カバーが固定される固定部と、前記筐体に設けられたグランドに電気的に接続されるとともに、前記ホルダに接触する端子部とが設けられ、前記受け部は、前記固定部及び前記端子部よりも、前記周壁の近くに設けられ、前記周壁によって支持されたテレビジョン受像機。  
[９]、(i)第１の部材と、(ii)前記第１の部材に設けられ、前記第１の部材の厚み方向に延びた立壁と、(iii)外部に露出された第１の面と、この第１の面とは反対側に位置された第２の面とを有し、前記第１の部材に取り付けられた第２の部材と、(iv)前記第２の面に設けられ、前記立壁に隣接した位置で第１の部材に当接する凸部と、を備えた電子機器。  
[１０]、(i)外部に向けて開口され、モジュールが収容された収容部が設けられた筐体と、(ii)前記筐体に設けられ、前記収容部の一部を構成するとともに前記筐体の厚み方向に延びた壁部と、(iii)外部に露出された第１の面と、この第１の面とは反対側に位置された第２の面とを有し、前記収容部を覆うカバーと、(iv)前記第２の面に設けられ、前記壁部に隣接した位置で前記筐体に当接する凸部と、を備えた電子機器。
【符号の説明】
【００８１】
１…電子機器、５…筐体、９…脚部、８…周壁、２１…ＨＤＤ収容部、２３…ＨＤＤ（モジュール）、２４…ホルダ、２５…コネクタ、３３…第１の立部、４１…ＨＤＤカバー、４２…第１の面、４３…第２の面、４４…リブ（凸部）、５１…受け部、５２…底壁、５３…第２の立部、５４…第４の立壁、５５…第３の壁部、６０…リブ、６２…固定部、６３…端子部、８１…テレビジョン受像機。
【図１】
2012168975.tif 000003
【図２】
2012168975.tif 000004
【図３】
2012168975.tif 000005
【図４】
2012168975.tif 000006
【図５】
2012168975.tif 000007
【図６】
2012168975.tif 000008
【図７】
2012168975.tif 000009
【図８】
2012168975.tif 000010
【図９】
2012168975.tif 000011
【図１０】
2012168975.tif 000012
【図１１】
2012168975.tif 000013
【図１２】
2012168975.tif 000014
【図１３】
2012168975.tif 000015
【図１４】
2012168975.tif 000016
【図１５】
2012168975.tif 000017
【図１６】
2012168975.tif 000018
【図１７】
2012168975.tif 000019
【図１８】
2012168975.tif 000020